【事件の表示】
　特願２０１１−　２１９２０「有機発光ダイオード装置」拒絶査定不服審判事件〔平成２３年１０月２７日出願公開，特開２０１１−２１６８６１，請求項の数（８）〕について，次のとおり審決する。
【結　論】
　原査定を取り消す。
　本願の発明は，特許すべきものとする。
【理　由】
第１　手続の経緯
　本件拒絶査定不服審判事件に係る出願（以下，「本願」という。）は，平成２３年２月３日（パリ条約による優先権主張２０１０年４月１日，韓国）の出願であって，平成２６年１０月２９日付けで拒絶理由が通知され，平成２７年２月４日に意見書及び手続補正書が提出され，同年７月２日付けで拒絶理由が通知され，同年１０月６日に意見書及び手続補正書が提出されたが，平成２８年３月２２日付けで拒絶査定（以下，「原査定」という。）がなされたものである。
　本件拒絶査定不服審判は，これを不服として，同年７月２７日に請求されたものであって，本件審判の請求と同時に手続補正書が提出され，当審において，平成２９年６月１２日付けで拒絶理由（以下，「当審拒絶理由」という。）が通知され，同年９月１２日に意見書及び手続補正書が提出された。
第２　本願の請求項１に係る発明
　本願の請求項１ないし８に係る発明は，平成２９年９月１２日提出の手続補正書によって補正された請求項１ないし８に記載された事項によって特定されるとおりのものと認められるところ，そのうちの請求項１の記載は次のとおりである。なお，請求項２ないし８は，いずれも，請求項１の記載を引用する形式で記載されたものであり，当該請求項２ないし８に係る発明は，請求項１に係る発明の発明特定事項を全て具備し，さらに他の発明特定事項を付加した発明に該当する。
「第１電極と，
　前記第１電極と対向する第２電極と，
　前記第１電極と前記第２電極との間に位置し，互いに異なる色を表示する第１発光ユニットおよび第２発光ユニットを含む発光部材と，
を含み，
　前記第１発光ユニットは，前記第１電極の直上に位置する第１正孔注入層，前記第１正孔注入層の直上に位置する第２正孔注入層，前記第２正孔注入層の上に位置する第１正孔輸送層，前記第１正孔輸送層の上に位置する第１発光層および前記第１発光層の上に位置する第１電子輸送層を含み，
　前記第２発光ユニットは，第３正孔注入層，前記第３正孔注入層の上に位置する第２正孔輸送層および前記第２正孔輸送層の上に位置する第２発光層を含み，
　前記第１正孔注入層は，Ｎ４，Ｎ４'−ジフェニル−Ｎ４−（９−フェニル−９Ｈ−カルバゾール−２−イル）−Ｎ４'−（９−フェニル−９Ｈ−カルバゾール−３−イル）ビフェニル−４，４'−ジアミンから形成され，
　前記第２正孔注入層は，２，３，６，７，１０，１１−ヘキサシアノ−１，４，５，８，９，１２−ヘキサアザトリフェニレンから形成され，
　前記第２発光ユニットは，前記第１発光ユニットの上に位置し，
　前記第２発光ユニット中の前記第３正孔注入層は，前記第１発光ユニット中の前記第１電子輸送層の直上に位置する，有機発光ダイオード装置。」（以下，「本願発明」という。）
第３　原査定の拒絶の理由の概要
　原査定の拒絶の理由は，概略次のとおりである。
　本願の請求項１ないし１２（平成２７年１０月６日提出の手続補正書による補正後の請求項１ないし１２）に係る発明は，その優先権主張の日より前に日本国内又は外国において，頒布された下記の刊行物に記載された発明又は電気通信回線を通じて公衆に利用可能となった発明及び周知の事項に基いて，その優先権主張の日より前にその発明の属する技術の分野における通常の知識を有する者が容易に発明をすることができたものであるから，特許法２９条２項の規定により特許を受けることができない。
　　　　　　　　　　　　　　　　　記
引用文献１：特開２００７−１７３７７９号公報
引用文献２：特開２００７−１７３７８０号公報
周知例１：特開２００６−３２４０１６号公報
周知例２：特開２００５−３２６１８号公報
　引用文献１又は引用文献２に記載された発明において，周知例１や周知例２等に示される周知の事項を適用して，本願の請求項１ないし１２に係る発明のように構成することは，当業者が容易に想到し得たことである。
第４　当審拒絶理由の概要
　当審拒絶理由は，概略次のとおりである。
理由１：
（サポート要件違反）
　本願の請求項１ないし１０（平成２８年７月２７日提出の手続補正書による補正後の請求項１ないし１０）の記載は，本件明細書の発明の詳細な説明の記載により，あるいは，当該記載や示唆がなくとも出願時の技術常識に照らし，当業者が発明の課題を解決できると認識できる範囲のものでないから，特許法３６条６項１号に規定する要件を満たしていない。
（明確性要件違反）
　請求項１には，「前記第２発光ユニット中の前記第３正孔注入層は，前記第１発光ユニット中の前記第１電子輸送層の真上に位置し」との発明特定事項が記載されているが，当該発明特定事項が，第３正孔注入層と第１電子輸送層の間に他の層が存在しないこと（すなわち，第３正孔注入層が第１電子輸送層の「直上」に位置していること）を指しているのか，それとも，他の層が存在することを許容しているのかが明確でないから，本願の請求項１ないし１０の記載は，特許法３６条６項２号に規定する要件を満たしていない。
理由２：
　本願の請求項１ないし１０に係る発明は，その優先権主張の日より前に日本国内又は外国において，頒布された下記の刊行物に記載された発明又は電気通信回線を通じて公衆に利用可能となった発明に基いて，その優先権主張の日より前にその発明の属する技術の分野における通常の知識を有する者が容易に発明をすることができたものであるから，特許法２９条２項の規定により特許を受けることができない。
　　　　　　　　　　　　　　　　　記
引用例１：特開２００７−１２３６１１号公報
引用例２：国際公開第２００９／１３９６０７号
　引用例１に記載された発明において，引用例２に記載された層構成を採用して，本願の請求項１ないし１０に係る発明のように構成することは，当業者が容易に想到し得たことである。
第５　当審拒絶理由についての判断
１　理由２について
（１）引用例
　ア　引用例１
（ア）引用例１の記載
　引用例１は，本願の優先権主張の日（以下，「優先日」という。）より前に頒布された刊行物であるところ，当該引用例１には次の記載がある。
　ａ　「【技術分野】
【０００１】
　本発明は，有機エレクトロルミネッセント素子及び有機エレクトロルミネッセント表示装置に関するものである。
【背景技術】
【０００２】
　有機エレクトロルミネッセント素子（有機ＥＬ素子）は，ディスプレイや照明への応用の観点から活発に開発が行われている。有機ＥＬ素子の駆動原理は，以下のようなものである。すなわち，陽極及び陰極からそれぞれホールと電子が注入され，これらが有機薄膜中を輸送され，発光層において再結合し励起状態が生じ，この励起状態から発光が得られる。発光効率を高めるためには，効率良くホール及び電子を注入させ，有機薄膜中を輸送させることが必要である。
【０００３】
　有機ＥＬ素子においては，電極と発光層の間にホールまたは電子を移送させるための電荷輸送層や電荷注入層等が一般に設けられている。
・・・（中略）・・・
【発明が解決しようとする課題】
【０００８】
　本発明の目的は，高い発光効率を有し，駆動電圧を低減させることができる
有機ＥＬ素子及び有機ＥＬ表示装置
【課題を解決するための手段】
【０００９】
　本発明の有機ＥＬ素子は，陽極と，陰極と，陽極及び陰極の間に配置される発光層と，発光層及び陽極の間に配置される少なくとも３つの有機層とを備え，有機層のうち陽極側に設けられる第１の有機層の最低空分子軌道（ＬＵＭＯ）のエネルギーレベルの絶対値│ＬＵＭＯ（Ａ）│と，第１の有機層の陰極側に隣接して設けられる第２の有機層の最低空分子軌道（ＬＵＭＯ）のエネルギーレベルの絶対値│ＬＵＭＯ（Ｂ）│とが，│ＬＵＭＯ（Ａ）│＜│ＬＵＭＯ（Ｂ）│の関係にあり，第２の有機層の陰極側に隣接して設けられる第３の有機層の最高被占分子軌道（ＨＯＭＯ）のエネルギーレベルＨＯＭＯ（Ｃ）と，第２の有機層のＬＵＭＯ（Ｂ）との差の絶対値│ＨＯＭＯ（Ｃ）−ＬＵＭＯ（Ｂ）│が，│ＨＯＭＯ（Ｃ）−ＬＵＭＯ（Ｂ）│≦１．５ｅＶの関係にあることを特徴としている。
・・・（中略）・・・
【発明の効果】
【００２６】
　本発明によれば，高い発光効率を有し，駆動電圧を低減することができる有機ＥＬ素子とすることができる。
【００２７】
　本発明の有機ＥＬ表示装置は，上記本発明の有機ＥＬ素子を備えるものであるので，高い発光効率を有し，駆動電圧を低減化し，消費電力を低減させることができるものである。」
　ｂ　「【００３７】
・・・（中略）・・・
（実施例１〜１１及び比較例１〜３）
　
表１に示す陽極，ホール注入ユニット，ホール輸送ユニット，オレンジ色発光層，青色発光層，電子輸送層，及び陰極を有する実施例１〜１１
表において，（　）内の数字は，各層の厚み（ｎｍ）
【００３８】
　
陽極は，ＩＴＯ（インジウム錫酸化物）膜が形成されたガラス基板の上に，フルオロカーボン（ＣＦ
ｘ
）層を形成することにより作製した
フルオロカーボン層は，ＣＨＦ
３
ガスのプラズマ重合により形成した
フルオロカーボン層の厚みは，１ｎｍ
【００３９】
　以上のようにして作製した
陽極の上に，ホール注入ユニット，ホール輸送ユニット，オレンジ色発光層，青色発光層，電子輸送層，及び陰極を順次堆積して形成した
【００４０】
　実施例１〜６及び比較例１〜３においては，ＮＰＢ及びＨＡＴ−ＣＮ６を，表１に示す順序で積層することにより，ホール注入ユニット及びホール輸送ユニットが形成されている。
【００４１】
　ＨＡＴ−ＣＮ６は，ヘキサアザトリフェニレンヘキサカルボンニトリルであり，以下の構造を有している。
【００４２】
【化３】　　　　　　　　　　　　　　　　　　　　　　　　　　　　　
・・・（中略）・・・
【００４４】
　ＮＰＢは，Ｎ，Ｎ′−ジ（ナフタセン−１−イル）−Ｎ，Ｎ′−ジフェニルベンジジンであり，以下の構造を有している。
【００４５】
【化４】　　　　　　　　　　　　　　　　　　　　　　　　　　　　　
【００４６】
　ＮＰＢは，３級アリールアミン系の材料であり，ホール輸送性材料である。実施例７〜１０においては，３級アリールアミン系材料として，ＴＰＤ，ＰｈＴＰＤ，及びＰＰＤを用いた。
【００４７】
　ＴＰＤは，Ｎ，Ｎ′−ビス（３−メチルフェニル）−Ｎ，Ｎ′−ジフェニル−ベンジジンであり，以下の構造を有している。
【００４８】
【化５】　　　　　　　　　　　　　　　　　　　　　　　　　　　　　
・・・（中略）・・・
【００５５】
　各実施例における第１の有機層，第２の有機層，及び第３の有機層は，ホール注入ユニット及びホール輸送ユニットにおける以下のような積層構造に相当している。
・・・（中略）・・・
【００５８】
　実施例７においては，ＴＰＤ／ＨＡＴ−ＣＮ６／ＮＰＢの積層構造が，第１の有機層／第２の有機層／第３の有機層の積層構造に対応している。
・・・（中略）・・・
【００６３】
　上記のように形成したホール輸送ユニットの上に，オレンジ色発光層及び青色発光層からなる白色発光の発光ユニットを形成している。オレンジ色発光層を陽極側に配置し，青色発光層を陰極側に配置している。なお，
表において％は
重量％
【００６４】
　
オレンジ色発光層においては，ＮＰＢをホール輸送性のホスト材料として用い，ＴＢＡＤＮを電子輸送性のホスト材料として用い，ＤＢｚＲをドーパント材料として用いている
【００６５】
　ＴＢＡＤＮは，２−ターシャリー−ブチル−９，１０−ジ（２−ナフチル）アントラセンであり，以下の構造を有している。
【００６６】
【化９】　　　　　　　　　　　　　　　　　　　　　　　　　　　　　
【００６７】
　ＤＢｚＲは，５，１２−ビス｛４−（６−メチルベンゾチアゾール−２−イル）フェニル｝−６，１１−ジフェニルナフタセンであり，以下の構造を有している。
【００６８】
【化１０】　　　　　　　　　　　　　　　　　　　　　　　　　　　　
【００６９】
　
青色発光層は，ＴＢＡＤＮを電子輸送性ホスト材料として用い，ＮＰＢをホール輸送性ホスト材料として用い，ＴＢＰをドーパント材料として用いている
【００７０】
　ＴＢＰは，２，５，８，１１−テトラ−ターシャリー−ブチルペリレンであり，以下の構造を有している。
【００７１】
【化１１】　　　　　　　　　　　　　　　　　　　　　　　　　　　　
【００７２】
　青色発光層の上には，Ａｌｑ層とＢＣＰ層の積層構造からなる電子輸送層が形成されている。
【００７３】
　Ａｌｑは，トリス−（８−キノリラト）アルミニウム（III）であり，以下の構造を有している。
【００７４】
【化１２】　　　　　　　　　　　　　　　　　　　　　　　　　　　　
【００７５】
　ＢＣＰは，２，９−ジメチル−４，７−ジフェニル−１，１０−フェナントロリンであり，以下の構造を有している。
【００７６】
【化１３】　　　　　　　　　　　　　　　　　　　　　　　　　　　　
【００７７】
　
電子輸送層の上には，ＬｉＦ層とＡｌ層の積層構造からなる陰極が形成されている
【００７８】
【表１】　　　　　　　　　　　　　　　　　　　　　　　　　　　　　
・・・（中略）・・・
【００８４】
　〔有機ＥＬ素子の評価〕
　以上のようにして作製した各有機ＥＬ素子について，
駆動電圧及び発光効率
測定結果は，２０ｍＡ／ｃｍ
２
の駆動電流における値
【００８５】
【表３】　　　　　　　　　　　　　　　　　　　　　　　　　　　　　
」
（イ）引用例１に記載された発明
　前記（ア）ｂで摘記した引用例１の記載から実施例７の有機ＥＬ素子を把握でき，前記（ア）ａの【００２７】等の記載から当該実施例７の有機ＥＬ素子を用いた有機ＥＬ表示装置についての発明を把握することができるところ，当該発明の構成は次のとおりである。（なお，引用例１の記載と同様に，積層構造における各層の間を「／」で区切って表現した。）
「ＩＴＯ膜が形成されたガラス基板の上に，ＣＨＦ３ガスのプラズマ重合により１ｎｍ厚のフルオロカーボン層を形成することによって，ＩＴＯ膜及びフルオロカーボン層からなる陽極を作成し，当該陽極の上に，ホール注入ユニット，ホール輸送ユニット，オレンジ色発光層，青色発光層，電子輸送層，及び陰極を順次堆積して形成した有機ＥＬ素子を用いた有機ＥＬ表示装置であって，
　前記ホール注入ユニットは，５ｎｍ厚のＨＡＴ−ＣＮ６／４５ｎｍ厚のＴＰＤ／５ｎｍ厚のＨＡＴ−ＣＮ６という積層構造を有しており，
　前記ホール輸送ユニットは，４５ｎｍ厚のＮＰＢ／５ｎｍ厚のＨＡＴ−ＣＮ６という積層構造を有しており，
　前記オレンジ色発光層は，ホール輸送性のホスト材料としてＮＰＢを７０重量％，電子輸送性のホスト材料としてＴＢＡＤＮを３０重量％含有する合計１００重量％のホスト材料に，ドーパント材料としてＤＢｚＲを３重量％ドーピングしたものであって，厚みが６０ｎｍであり，
　前記青色発光層は，電子輸送性ホスト材料としてＴＢＡＤＮを９０重量％，ホール輸送性ホスト材料としてＮＰＢを１０重量％含有する合計１００重量％のホスト材料に，ドーパント材料としてＴＢＰを２．５重量％ドーパントしたものであって，厚みが５０ｎｍであり，
　前記電子輸送層は，３ｎｍ厚のＡｌｑ／７ｎｍ厚のＢＣＰという積層構造を有しており，
　前記陰極は，１ｎｍ厚のＬｉＦ／２００ｎｍ厚のＡｌという積層構造を有しており，
　前記各層で用いているＨＡＴ−ＣＮ６，ＴＰＤ，ＮＰＢ，ＴＢＡＤＮ，ＤＢｚＲ，ＴＢＰ，Ａｌｑ，ＢＣＰの構造は，下記のとおりであり，
　２０ｍＡ／ｃｍ２の駆動電流における駆動電圧及び発光効率がそれぞれ４．５Ｖ及び２２．０ｃｄ／Ａである，
　有機ＥＬ表示装置。
」（以下，「引用発明」という。）
　イ　引用例２
　引用例２は，本願の優先日より前に電気通信回線を通じて公衆に利用可能となったものであるところ，当該引用例２には次の記載がある。
「
」
（日本語訳）
「［２０９］　
実施例２
［２１０］　基板上にＩＺＯをスパッタリングの方法により１０００Å厚さの透明正極（第１電極）を形成し，その上にＨＡＴを熱真空蒸着して厚さが５００Åであるｎ−型有機物を形成し，その上にＮＰＢを真空蒸着して厚さが４００Åである正孔輸送層を形成してＮＰ接合を形成した。
［２１１］　また，ＣＢＰにＩｒ（ｐｐｙ）３を１０重量％でドーピングし，ドーピングされた有機層で厚さが３００Åである発光層を構成した。
［２１２］　また，その上に正孔遮断層材料であるＢＡｌｑを５０Åの厚さで形成した。
［２１３］　その上に電子輸送層材料を１５０Åの厚さで形成し，その上に電子輸送材料にＣａを１０重量％ドーピングし，ドーピングされた電子輸送層を厚さ５０Åで形成し，ＨＡＴ／ＮＰＢ／ＣＢＰ＋Ｉｒ（ｐｐｙ）３／ＢＡｌｑ／ＥＴＬ／Ｃａ＋ＥＴＬの単位素子構造を作った。ドーピングされたＣａ電子輸送層上に上記の単位素子蒸着方法と同じ方法と厚さでＨＡＴ／ＮＰＢ／ＣＢＰ＋Ｉｒ（ｐｐｙ）３／ＢＡｌｑ／ＥＴＬ／Ｃａ＋ＥＴＬ単位素子層を形成して，２個の単位発光素子が積層されたＩＺＯ／ＨＡＴ／ＮＰＢ／ＣＢＰ＋Ｉｒ（ｐｐｙ）３／ＢＡÅｌｑ（審決注：「ＢＡｌｑ」の誤記と解される。）／ＥＴＬ／Ｃａ＋ＥＴＬ／ＨＡＴ／ＮＰＢ／ＣＢＰ＋Ｉｒ（ｐｐｙ）３／ＢＡｌｑ／ＥＴＬ／Ｃａ＋ＥＴＬ／Ａｌ有機物層を形成した。
［２１４］　２番目にＣａドーピングされた電子輸送層上に第２電極としてアルミニウムを１０００Åの厚さで形成して単位有機発光素子を作った。」
（２）本願発明について
　ア　対比
（ア）　本願発明及び引用発明の各層の順序からみて，引用発明の「陽極」，「陰極」，「『ホール注入ユニット』の積層構造中で最も下に位置する『５ｎｍ厚のＨＡＴ−ＣＮ６』」，「『ホール注入ユニット』の積層構造中の『４５ｎｍ厚のＴＰＤ』」，「『ホール輸送ユニット』の積層構造中の『４５ｎｍ厚のＮＰＢ』」，「オレンジ色発光層」，「青色発光層」及び「有機ＥＬ表示装置」は，本願発明の「第１電極」，「第２電極」，「第１正孔注入層」，「第２正孔注入層」，「第１正孔輸送層」，「第１発光層」，「第２発光層」及び「有機発光ダイオード装置」にそれぞれ相当する。
（イ）　引用発明のホール注入ユニット，ホール輸送ユニット及びオレンジ色発光層からなる層構成は，「陽極」（本願発明の「第１電極」に相当する。以下，「ア　対比」欄において，「」で囲まれた引用発明の構成に付した（）中の文言は，当該引用発明の構成に相当する又は共通する関係にある本願発明の発明特定事項を指す。）上で「５ｎｍ厚のＨＡＴ−ＣＮ６」（第１正孔注入層）／「４５ｎｍ厚のＴＰＤ」（第２正孔注入層）／５ｎｍ厚のＨＡＴ−ＣＮ６／「４５ｎｍ厚のＮＰＢ」（第１正孔輸送層）／５ｎｍ厚のＨＡＴ−ＣＮ６／「オレンジ色発光層」（第１発光層）という積層構造を有しているから，本願発明の「第１発光ユニット」と，「第１電極の直上に位置する第１正孔注入層，第１正孔注入層の直上に位置する第２正孔注入層，前記正孔注入層の上に位置する第１正孔輸送層及び第１正孔輸送層の上に位置する第１発光層を含む第１の層構成」である点で共通する。
（ウ）　引用発明の青色発光層及び電子輸送層からなる層構成は，「青色発光層」（第２発光層）を含んでおり，前記（イ）で述べた「第１発光ユニット」の上に位置しているから，本願発明の「第２発光ユニット」と，「第２発光層を含む第２の層構成」であり，「第１の層構成の上に位置する」点で共通する。
（エ）　引用発明において，前記（イ）で述べた層構成と，前記（ウ）で述べた層構成とをあわせて「発光部材」ということができるところ，当該「発光部材」は，本願発明の「発光部材」と，「第１電極と前記第２電極との間に位置し，互いに異なる色を表示する第１の層構成および第２の層構成を含む」点で共通する。
（オ）　前記（ア）ないし（エ）に照らせば，本願発明と引用発明は，
「第１電極と，
　前記第１電極と対向する第２電極と，
　前記第１電極と前記第２電極との間に位置し，互いに異なる色を表示する第１の層構成および第２の層構成を含む発光部材と，
を含み，
　前記第１の層構成は，前記第１電極の直上に位置する第１正孔注入層，前記第１正孔注入層の直上に位置する第２正孔注入層，前記第２正孔注入層の上に位置する第１正孔輸送層及び前記第１正孔輸送層の上に位置する第１発光層を含み，
　前記第２の層構成は，第２発光層を含み，
　前記第２の層構成は，前記第１の層構成の上に位置する，有機発光ダイオード装置。」
である点で一致し，次の点で相違する。
相違点１：
　本願発明では，「第１の層構成」が第１発光層の上に位置する「第１電子輸送層」を含む「第１発光ユニット」であり，「第２の層構成」が第１電子輸送層の直上に位置する「第３正孔注入層」と第３正孔注入層の上でかつ第２発光層の下に位置する「第２正孔輸送層」とを含む「第２発光ユニット」である（言い換えると，第１発光層と第２発光層の間に，第１電子輸送層，第３正孔輸送層及び第２正孔輸送層をこの順で含んでいる）のに対して，
　引用発明では，「第１の層構成」が「第１電子輸送層」を含んでおらず，「第２の層構成」が「第３正孔輸送層」と「第２正孔輸送層」を含んでいない（言い換えると，「オレンジ色発光層」（第１発光層）と「青色発光層」（第２発光層）の間に，「第１電子輸送層」，「第３正孔輸送層」及び「第２正孔輸送層」はいずれも存在しない）点。
相違点２：
　本願発明では，「第１正孔注入層」がＮ４，Ｎ４'−ジフェニル−Ｎ４−（９−フェニル−９Ｈ−カルバゾール−２−イル）−Ｎ４'−（９−フェニル−９Ｈ−カルバゾール−３−イル）ビフェニル−４，４'−ジアミンから形成され，「第２正孔注入層」が２，３，６，７，１０，１１−ヘキサシアノ−１，４，５，８，９，１２−ヘキサアザトリフェニレンから形成されているのに対して，
　引用発明では，「５ｎｍ厚のＨＡＴ−ＣＮ６」（第１正孔注入層）はＨＡＴ−ＣＮ６から形成され，「４５ｎｍ厚のＴＰＤ」（第２正孔注入層）はＴＰＤから形成されている点。
　イ　判断
　事案に鑑み，まず相違点２について判断する。
　引用例１には，陽極の直上に形成される第１正孔注入層を「Ｎ４，Ｎ４'−ジフェニル−Ｎ４−（９−フェニル−９Ｈ−カルバゾール−２−イル）−Ｎ４'−（９−フェニル−９Ｈ−カルバゾール−３−イル）ビフェニル−４，４'−ジアミン」によって形成し，第１正孔注入層の直上に形成される第２正孔注入層を「２，３，６，７，１０，１１−ヘキサシアノ−１，４，５，８，９，１２−ヘキサアザトリフェニレン」によって形成することは，記載も示唆もされていない。
　また，引用例２には，相違点１に関する事項が記載されているとしても，相違点２に係る本願発明の発明特定事項は，記載も示唆もされていない。
　したがって，たとえ引用発明に引用例２に記載された事項を適用したとしても，相違点２に係る本願発明の発明特定事項を具備するものには至らない。
　そして，本願発明は，相違点２に係る本願発明の発明特定事項を具備することによって，本件明細書に記載された「色特性を維持しながらも発光効率を改善することができる」（【００１９】）という効果を奏するものと認められる。
　したがって，相違点１について判断するまでもなく，本願発明は，引用発明及び引用例２に記載された事項に基づいて，当業者が容易に発明をすることができたものではない。
（２）請求項２ないし８に係る発明について
　請求項２ないし８は，請求項１の記載を引用する形式で記載されたものであって，請求項２ないし８に係る発明は，いずれも，相違点２に係る本願発明の発明特定事項を具備しているところ，前記（１）で述べたとおり，請求項１に係る発明（本願発明）が，引用発明及び引用例２に記載された事項に基づいて，当業者が容易に発明をすることができたものではない以上，請求項２ないし８に係る発明も，同様の理由で，引用発明及び引用例２に記載された事項に基づいて，当業者が容易に発明をすることができたものではない。
２　理由１について
（１）サポート要件違反
　平成２９年９月１２日提出の手続補正書によって，請求項１において第１正孔注入層及び第２正孔注入層の材質を特定する補正がされたことで，補正後の各請求項の記載は，本件明細書の発明の詳細な説明の記載や出願時の技術常識に照らし，当業者が発明の課題を解決できると認識できる範囲のものとなり，サポート要件違反は解消された。
（２）明確性要件違反
　平成２９年９月１２日提出の手続補正書によって，請求項１において「真上」という記載が「直上」という記載に補正されたことで，補正後の各請求項の記載は，第１電子輸送層と第３正孔注入層の間に他の層が存在しないことが明確に特定できるものとなり，明確性要件違反は解消された。
３　小括
　前記１及び２のとおりであるから，当審拒絶理由によって，本願を拒絶することはできない。
第６　原査定の拒絶の理由についての判断
　原査定の拒絶の理由において引用された引用文献１又は２，並びに周知例として例示された周知例１及び２のいずれにも，本願の請求項１ないし８に係る発明の発明特定事項である「第１電極の直上に位置する第１正孔注入層が，Ｎ４，Ｎ４'−ジフェニル−Ｎ４−（９−フェニル−９Ｈ−カルバゾール−２−イル）−Ｎ４'−（９−フェニル−９Ｈ−カルバゾール−３−イル）ビフェニル−４，４'−ジアミンから形成され，第１正孔注入層の直上に位置する第２正孔注入層が，２，３，６，７，１０，１１−ヘキサシアノ−１，４，５，８，９，１２−ヘキサアザトリフェニレンから形成され」る点は，記載も示唆もされていない。
　そして，本願の請求項１ないし８に係る発明が，前記発明特定事項を具備することによって，本件明細書に記載された「色特性を維持しながらも発光効率を改善することができる」という効果を奏するものと認められることは，前記第５　１（１）イでも述べたとおりである。
　したがって，本願の請求項１ないし８に係る発明は，引用文献１又は引用文献２に記載された発明及び周知の事項に基づいて，当業者が容易に発明をすることができたものではない。
第７　むすび
　以上のとおり，原査定の理由によっては，本願を拒絶することはできない。
　また，他に本願を拒絶すべき理由を発見しない。
　よって，結論のとおり審決する。